(57)【特許請求の範囲】
【請求項１】
第１の解像度の第１の映像データが基本映像信号として放送されると共に、前記基本映像信号と合わせて再生することで前記第１の解像度よりも高い第２の解像度の第２の映像データを得るための拡張映像信号を前記基本映像信号とは別の伝送路で配信される映像信号伝送システムに用いられ、
前記基本映像信号を受信し記録する第１の記録部と、
前記拡張映像信号を受信し記録する第２の記録部と、
前記第２の記録部で前記拡張映像信号が正常に取得できなかった場合、ユーザが前記拡張映像信号を取得する時間帯を選択する画面を表示して、画面選択操作により選択された時間帯に前記拡張映像信号の受信・記録を実行するように前記第２の記録部を制御する制御部と、
前記第２の解像度の第２の映像データの再生指示に応じて、前記第２の記録部に記録された拡張映像信号を前記第１の記録部に記録された基本映像信号と合わせて再生させる再生部と
を具備する電子機器。
【請求項２】
第１の解像度の第１の映像データが基本映像信号として放送されると共に、前記基本映像信号と合わせて再生することで前記第１の解像度よりも高い第２の解像度の第２の映像データを得るための拡張映像信号を前記基本映像信号とは別の伝送路で配信される映像信号伝送システムに用いられ、
前記基本映像信号を受信し記録する第１の記録部と、
前記拡張映像信号を受信し記録する第２の記録部と、
前記第２の記録部で前記拡張映像信号が正常に取得できなかった場合、前記拡張映像信号を取得するタイミングをユーザ操作または装置動作に連動して取得するタイミングに設定する画面を表示して、画面選択操作により選択されたタイミングに前記拡張映像信号の受信・記録を実行するように前記第２の記録部を制御する制御部と、
前記第２の解像度の第２の映像データの再生指示に応じて、前記第２の記録部に記録された拡張映像信号を前記第１の記録部に記録された基本映像信号と合わせて再生させる再生部と
を具備する電子機器。
【請求項３】
前記制御部は、前記第１の記録部に複数の基本映像信号が記録されている場合には、ユーザが前記複数の基本映像信号それぞれに対応する拡張映像信号を任意に選択する画面を表示して、画面選択操作により選択された拡張映像信号の受信・記録を実行するように前記第２の記録部を制御する請求項１または２記載の電子機器。
【請求項４】
前記制御部は、前記基本映像信号の放送受信時に前記拡張映像信号を合わせて受信して再生している状態で、前記拡張映像信号が正常に取得できなくなった場合に、前記第１の記録部及び第２の記録部による基本映像信号及び拡張映像信号の記録動作に移行し、放送時間に対して一定時間古い時間から基本映像信号及び拡張映像信号を合わせて再生させる請求項１または２記載の電子機器。
【請求項５】
第１の解像度の第１の映像データが基本映像信号として放送されると共に、前記基本映像信号と合わせて再生することで前記第１の解像度よりも高い第２の解像度の第２の映像データを得るための拡張映像信号を前記基本映像信号とは別の伝送路で配信される映像信号伝送システムに用いられ、
前記基本映像信号を受信して記録し、
前記拡張映像信号を受信して記録し、
前記拡張映像信号が正常に取得できなかった場合、前記拡張映像信号を取得する時間帯を選択する画面を表示して、画面選択操作により選択された時間帯に前記拡張映像信号の受信・記録を実行するように制御し、
前記第２の解像度の第２の映像データの再生指示に応じて、前記拡張映像信号を前記基本映像信号と合わせて再生させる電子機器の信号処理方法。
【請求項６】
第１の解像度の第１の映像データが基本映像信号として放送されると共に、前記基本映像信号と合わせて再生することで前記第１の解像度よりも高い第２の解像度の第２の映像データを得るための拡張映像信号を前記基本映像信号とは別の伝送路で配信される映像信号伝送システムに用いられ、
前記基本映像信号を受信して記録し、
前記拡張映像信号を受信して記録し、
前記拡張映像信号が正常に取得できなかった場合、前記拡張映像信号を取得するタイミングをユーザ操作または装置動作に連動して取得するタイミングに設定する画面を表示して、画面選択操作により選択されたタイミングに前記拡張映像信号の受信・記録を実行するように制御し、
前記第２の解像度の第２の映像データの再生指示に応じて、前記拡張映像信号を前記基本映像信号と合わせて再生させる電子機器の信号処理方法。
【請求項７】
前記基本映像信号が複数記録されている場合には、ユーザが前記複数の基本映像信号それぞれに対応する拡張映像信号を任意に選択する画面を表示して、画面選択操作により選択された拡張映像信号の受信・記録を実行するように制御する請求項５または６記載の電子機器の信号処理方法。
【請求項８】
前記基本映像信号の放送受信時に前記拡張映像信号を合わせて受信して再生している状態で、前記拡張映像信号が正常に取得できなくなった場合に、前記基本映像信号及び拡張映像信号の記録動作に移行し、放送時間に対して一定時間古い時間から基本映像信号及び拡張映像信号を合わせて再生させる請求項５または６記載の電子機器の信号処理方法。
【発明の詳細な説明】
【技術分野】
【０００１】
本発明は、高精細度テレビジョン放送を受信する電子機器及び信号処理方法に関する。
【背景技術】
【０００２】
現在、デジタルテレビジョン（ＨＤ（High Definition、高精細度）ＴＶ）放送においては、水平方向画素数が１９２０または１４４０、垂直方向画素数が１０８０、映像周波数（フレームレート）が６０Ｈｚの映像信号が利用されている。
【０００３】
また、ＨＤＴＶに比較して画素数が４倍（３８４０×２１６０）、フレームレート６０Ｈｚの４Ｋ（ＵＨＤ（Ultra High Definition）、超高精細度）放送や、１６倍（７６８０×４３２０）、フレームレート１２０Ｈｚの８Ｋ（８ＫＵＨＤ）放送についても、標準化が進められている。
【０００４】
しかしながら、現在広く普及している受信機（テレビジョン受信装置）によりＨＤＴＶ放送の受信が可能であることが求めている。このため、４Ｋまたは８Ｋ放送においては、映像信号を、実質的にＨＤＴＶ放送に相当する映像信号からなる基本映像情報（以下、基本レイヤと称する）と４Ｋ（８Ｋ）放送に対応する映像信号を含む拡張映像情報（以下、拡張レイヤと称する）とに分離し、基本レイヤが伝送されるＨＤＴＶ放送とは別の伝送路（例えばＩＰネットワーク等）で拡張レイヤを伝送し、受信側で基本レイヤと拡張レイヤとを同時に受信して、両者の同期合成を可能とする方法が提案されている。
【０００５】
このように、基本レイヤとは別の伝送路で伝送される拡張レイヤを受信し、両者を同期させて合成することで高画質化を図る方法は、放送波を受信し視聴しているコンテンツだけでなく、ＨＤＴＶ放送を録画している番組コンテンツに対しても実施されることが考えられる。
【先行技術文献】
【特許文献】
【０００６】
【特許文献１】特開２００６−７５１８２号公報
【発明の概要】
【発明が解決しようとする課題】
【０００７】
上記の拡張レイヤを用いた高画質化方法によれば、対象コンテンツの基本レイヤの受信に合わせて拡張レイヤを取得することで高画質映像が得られる。しかしながら、拡張レイヤを提供するサーバへのアクセスが集中する等の理由で回線が混み合うと、拡張レイヤの欠落や転送速度の低下によって基本レイヤとの同期が合わない等の不具合が生じてしまうおそれがある。このように拡張レイヤが欠損した部分については正常に高画質化することができず、基本レイヤとの同期が合わない場合には、高画質化できないおそれがある。
【０００８】
この発明の目的は、確実に拡張レイヤを取得して高画質化を実現することのできる電子機器及び信号処理方法を提供することである。
【課題を解決するための手段】
【０００９】
実施形態の電子機器は、第１の解像度の第１の映像データが基本映像信号として放送されると共に、前記基本映像信号と合わせて再生することで前記第１の解像度よりも高い第２の解像度の第２の映像データを得るための拡張映像信号を前記基本映像信号とは別の伝送路で配信される映像信号伝送システムに用いられ、第１の記録部と、第２の記録部と、制御部と、再生部とを具備する。第１の記録部は、前記基本映像信号を受信し記録する。第２の記録部は、前記拡張映像信号を受信し記録する。制御部は、前記第２の記録部に対して、前記映像コンテンツの放送受信時に前記拡張映像信号が正常に取得できなかった場合、前記拡張映像信号を取得する時間帯を選択する画面を表示するか、前記拡張映像信号を取得するタイミングをユーザ操作または装置動作に連動して取得するタイミングに設定する画面を表示して、画面選択操作により選択された時間帯またはタイミングに前記拡張映像信号の受信・記録を実行するように制御する。再生部は、前記映像コンテンツの再生指示に応じて、前記第２の記録部に記録された拡張映像信号を前記第１の記録部に記録された基本映像信号と合わせて再生する。
【図面の簡単な説明】
【００１０】
【図１】実施形態に係る映像信号送受信システムの一例を示すブロック図。
【図２】実施形態に係る記録装置（電子機器）の一例を示すブロック図。
【図３】実施形態に係る記録装置の基本レイヤ及び拡張レイヤの処理ブロックの一例を示すブロック図。
【図４】実施形態に係る拡張伝送方式による録画コンテンツの高画質化の処理シーケンスの第１の実施例を示すフローチャート。
【図５】第１の実施例において、拡張レイヤ取得時刻の設定画面の一例を示す図。
【図６】第１の実施例において、拡張レイヤ取得完了コンテンツの再生選択画面の一例を示す図。
【図７】実施形態に係る拡張伝送方式による録画コンテンツの高画質化の処理シーケンスの第２の実施例を示すフローチャート。
【図８】第３の実施例において、高画質化のための拡張レイヤの取得をユーザ指定のタイミングに設定する設定画面の一例を示す図。
【図９】実施形態に係る拡張伝送方式による録画コンテンツの高画質化の処理シーケンスの第３の実施例を示すフローチャート。
【図１０】第３の実施例において、拡張レイヤの取得が失敗し、通常の画質による録画再生動作へ移行することをユーザに通知する画面の一例を示す図。
【発明を実施するための形態】
【００１１】
以下、図面を参照して、本発明の実施の一形態について説明する。
【００１２】
図１は、実施形態に係る映像信号送受信システムの構成を示すブロック図である。図１に示すシステムにおいて、電子機器（例えばテレビジョン放送受信装置、以下、テレビ装置と称する）１は、アンテナＡＮＴを通じて、番組供給元である放送局から送信される放送波（地上波及び衛星波）を受信する。なお、テレビ装置１は、現在広く普及している２Ｋ（ＨＤＴＶ（水平方向画素数が１９２０または１４４０、垂直方向画素数が１０８０、映像周波数（フレームレート）が６０Ｈｚの映像信号））放送の受信が可能である。また、テレビ装置１が受信する放送波は、２Ｋ（ＨＤ）放送に比較して画素数が４倍（３８４０×２１６０）、フレームレート６０Ｈｚの４Ｋ放送（ＵＨＤ（Ultra High Definition）、超高精細度放送）であってもよい。テレビ装置１が受信する放送波はまた、２Ｋ（ＨＤ）放送に比較して画素数が１６倍（７６８０×４３２０）、フレームレート１２０Ｈｚの８Ｋ放送（８ＫＵＨＤ放送）であってもよい。
【００１３】
なお、４Ｋ放送あるいは８Ｋ放送においては、映像信号（放送波）を、第一の映像情報（基本レイヤ）と第二の映像情報（拡張レイヤ）とに分離し、２チャンネル分の帯域幅の占有により送信する方式が利用可能である。基本レイヤ（第一の映像情報）は、実質的に、２Ｋ（ＨＤ）放送信号に相当し、そのままの状態で２Ｋ（ＨＤ）放送波として利用可能であることが好ましい。拡張レイヤ（第二の映像情報）は、基本レイヤと独立して用意され、基本レイヤとともに利用することにより４Ｋ（８Ｋ）映像を再現するために利用可能である。この場合、基本レイヤが１チャンネル分の帯域幅を、拡張レイヤが別の１チャンネル分の帯域幅をそれぞれ占有する。しかしながら、この方式によれば、現在広く普及している２Ｋ（ＨＤ）放送を受信する受信機（テレビジョン受信装置）における２Ｋ（ＨＤ）放送の受信には、なんら影響を及ぼすことがない。
【００１４】
テレビ装置１はまた、外部映像供給元、例えばビデオカメラ装置や画像の撮影が可能な携帯可能な端末装置２００１からの画像を取得可能である。その場合、画像の取得は、例えば近距離無線通信方式を用いるものであってもよいし接続用のケーブルを用いる有線伝送方式を用いるものであってもよい。また、テレビ装置１は、ネットワークＮＴＷと接続し、ネットワークＮＴＷ上に位置するサービスサーバ（以下、サーバと称する）ＳＶから映像信号や映像情報を受け取ることができる。なお、テレビ装置１は、パーソナルコンピュータ（ＰＣ）、ホームサーバ、レコーダあるいはＳＴＶ（Set Top Box）、レコーダやＳＴＶと接続するモニタ装置、等であってもよい。また、以降の説明においては、テレビ装置１は、２Ｋ（２Ｋ１Ｋまたは１９２０×１０８０）、４Ｋ（４Ｋ２Ｋまたは３８４０×２１６０）もしくは８Ｋ（８Ｋ４Ｋまたは７６８０×４３２０）放送の少なくとも１つの放送を受信し、映像及び音声（音響）を再生できる。但し、以下では、説明の便宜上、２Ｋ／４Ｋ対応のテレビ装置として記載する。
【００１５】
なお、以下の説明において、テレビ装置１が受信し、映像及び音声を再生する放送は、空間を伝播する電波として放送事業者（放送局）が提供するもの、あるいはケーブル（光ファイバを含む）網やＩＰ（Internet Protocol）網等のネットワークを通じて配信事業者が配信するもの等、を含む。また、放送は、映像と音声または音楽もしくはその両者を含み、一定時間（放送時間）を単位とするさまざまな番組を、提供する形態を示す。なお、番組は、コンテンツもしくはストリームあるいはタイトルと呼称する場合もある。また、映像は、動画や静止画、あるいはテキスト（コード化された符号列で示される文字や記号等で表される情報）ならびにその任意の組み合わせを含む。また、２つの伝送路（例えば衛星波）を通じて取得する番組（放送）のうちの１つ目の伝送路（例えば衛星波）で受けつける番組を、メインチャンネル、メインサービス、メインチャンネルＴＳ（Transport Stream）、主映像信号、ＨＤ映像信号、ＨＤＴＶ放送信号、２Ｋ映像信号現行サービスもしくは現行放送信号、等と称する場合がある。また、２つの伝送路（例えば衛星波）を通じて取得する番組（放送）のうちの別の（２つ目の）伝送路で受けつける番組を、サブチャンネル、サブサービス、サブチャンネルＴＳ、高画質映像信号、４Ｋ映像信号、４Ｋ放送信号、拡張サービスもしくは拡張放送信号、等と称する場合がある。
【００１６】
図２は、テレビ装置の主要な構成の一例を示す。なお、テレビ装置は、後段に説明するハードディスク（ＨＤＤ）もしくは記憶装置に、受信した番組を記録できる。
【００１７】
テレビ装置１は、入力部（チューナ）１１、信号処理部（ＴＳ分離部）１２、映像出力処理ブロック２１、音声処理ブロック３１及び主制御ブロック５１、等を含む。
【００１８】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。また、テレビ装置１におけるディスプレイ２６は、テレビ装置１と非接触で、映像記憶装置（レコーダ）や受信装置（ＳＴＢまたはチューナ）が、無線方式により伝送する番組を表示するものであってもよい。
【００１９】
入力部１１は、少なくとも２つのチャンネルの放送（番組）を受信可能に、例えば２Ｋ（ＨＤ）放送（空間波（地表波）を用いる放送）を受信可能なチューナを、２以上６（または９）程度含む。また、入力部１１は、放送衛星（Broadcasting Satellite）により放送されるＢＳ放送、あるいは通信衛星（Communication Satellite）を介して中継されるＣＳ放送を受信可能なチューナを、３程度含むことが好ましい。
【００２０】
入力部１１に入力する放送は、信号処理部（ＴＳ分離部）１２が、ＴＳ（Transport Stream）分離する。すなわち、信号処理部（ＴＳ分離部）１２は、映像信号（ビデオ）、音声信号（オーディオ）及び制御情報を分離する。なお、制御情報は、ＳＩ（Service Informationすなわち番組配列情報／ＰＳＩ（Program Specific Information））、ＮＩＴ（Network Information Table）、ＥＩＴ（Event Information Table）、等を含む。ＳＩは、ＴＳ（ストリーム）の分配規則や内容、スケジュールあるいはタイミング、等に関する記述を含む。ＳＩにおける記述は、例えば画像や音声、制御情報、等が格納されるパケットを、“０ｘＹＺ（ＹＺは所定の整数）”と定義するパケット値で示すＰＩＤ（Packet Identifier）、“ＰＩＤ＝０”において参照するＰＡＴ（Program Association Table）や“ＰＩＤ＝Ｐ”において参照するＰＭＴ（Program Map Table）、等を含む。ＮＩＴは、ストリームの分配（配信）情報に関する記述を含む。ＥＩＴは、番組情報、例えば番組名称や放送日時もしくは放送内容、等の番組に関連する記述を含む。
【００２１】
なお、ＥＩＴもしくはＮＩＴあるいはＰＡＴは、受信した放送（基本レイヤ）すなわち２Ｋ（ＨＤ）放送信号に対応する拡張レイヤの有無（別のチャンネルあるいは異なる伝送方法により拡張レイヤが提供されているか否か）を示す“識別子あるいは記述”を含むことができる。また、拡張レイヤの有無（拡張レイヤが提供されているか否か）を示す“識別子あるいは記述”は、他の記述もしくは他の参照箇所の指定、等により、明示されてもよい。
【００２２】
なお、拡張レイヤは、テレビ装置１が受信する放送がＳＨＶＣ（Scalable High efiiciency Video Coding）符号化方式に準拠する４Ｋ放送である場合に、送信側において基本レイヤと分離される映像情報である。拡張レイヤは、詳細には、送信側におけるエンコード（ＳＨＶＣ符号化）時の予測画像の生成に、インター予測（動き補償予測）、イントラ予測（画面内予測）及びレイヤ間予測（画像間予測）の少なくとも１つが実行されて生成される映像情報である。より詳細には、ＳＨＶＣ符号化方式は、ＨＥＶＣ（High efiiciency Video Coding）方式で用いられる画面間予測（動き補償予測／インター予測）と画面内予測（イントラ予測）とに加え、画像間予測（レイヤ間予測）を伴う。レイヤ間予測は、２Ｋ（ＨＤ）映像を構成する基準レイヤすなわち基本映像から４Ｋ（超高精細度画質）映像の出力時に利用可能な拡張レイヤ（拡張映像）を、予測する。すなわち、ＳＨＶＣ符号化方式においては、映像の再生時に、復号した基本映像を超高精細度画質（４Ｋ映像）にアップコンバートした映像を予測の候補として利用することが可能である。これにより、ＳＨＶＣ符号化方式は、４Ｋ映像を直接圧縮する方式に比較して映像情報を高い圧縮効率で圧縮できていることになり、現在の放送網（放送帯域）をそのまま利用可能な４Ｋ映像の送受信を可能としている。
【００２３】
また、拡張レイヤは、上述の通り、２つの伝送路を通じて取得する番組のうちの別の伝送路で受けつける番組に相当し、送信側において、例えばネットワークを経由して取得するように、設定される場合もある。
【００２４】
映像出力処理ブロック２１及び音声処理ブロック３１には、それぞれ、ディスプレイ２６及びスピーカ３６が接続する。
【００２５】
映像出力処理ブロック２１は、図１０を用いて後段に説明する高精細画像復元部２０１が出力する再生映像信号に、ＯＳＤ（On Screen Display）処理部２４が生成したＯＳＤ映像を重畳し、表示制御部２５においてディスプレイ２６が表示可能な所定の解像度及び出力方式に変換する。なお、表示制御部２５の出力は、例えば外部で接続するモニタ装置、あるいは投影装置（プロジェクタ装置）等が接続可能な出力端２７に出力されてもよい。
【００２６】
音声処理ブロック３１は、音声（オーディオ）デコーダ３２、音声（オーディオ）処理部３３、遅延部３４及びＤ−Ａ（Digital to Analog）コンバータ３５、等を含む。
【００２７】
音声信号（オーディオ）については、音声処理部３３において音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。なお、拡張レイヤが、例えば７．１ｃｈサラウンド情報（信号）や６０ｋＨｚ程度の再現音域情報（信号）を含む場合も想定されるが、音声（音響）のデコードに必要な時間については、以下に説明する４Ｋ映像のデコードに必要な時間に比較して僅かである。但し、後段に説明するが、拡張レイヤを伴い、４Ｋ（ＵＨＤ）映像を再生中に拡張レイヤが欠損して（もしくは拡張レイヤの取得が不安定となって）、基本レイヤに基づく２Ｋ（ＨＤ）放送を再生する場合がある。この状態（２Ｋ放送を再生している状態）からもう一度拡張レイヤを取得して４Ｋ放送を再生する場合には、４Ｋ映像のデコードが完了するまでの所定の期間、音声を遅延することが好ましい。
【００２８】
主制御ブロック５１は、例えばＣＰＵ（主処理回路）５２、ＣＰＵ５２が実行する制御プログラムを保持するＲＯＭ（読出専用メモリ）５３、ＣＰＵ５２に作業エリアを提供するＲＡＭ（ランダムアクセスメモリ（ワークメモリ））５４、各種の設定情報及び制御情報等を保持するＮＶＭ（不揮発性（書き換え可能）メモリ）５５、拡張レイヤ記録管理部５６、等を含む。主制御ブロック５１にはまた、操作部６１、受信部６２、通信インタフェース６３、ネットワーク制御部６４、ＵＳＢ（Universal Serial Bus）インタフェース６５、ＨＤＭＩ（（登録商標）High-definition Digital Media Interface）制御部６６、記憶装置６７、等が接続する。なお、ＵＳＢインタフェース６５には、ＵＳＢ規格に準拠する外部装置、例えばＵＳＢ接続のＨＤＤ（Hard Disk Drive、記憶装置）や、キーボード、等が接続可能である。
【００２９】
操作部６１は、ユーザによる直接操作に対応する制御コマンドを主制御ブロック５１に入力する。
【００３０】
受信部６２は、リモコン端末（リモートコントローラ）７１、あるいは携帯可能な端末装置からの指示（操作入力）に対応するコマンドを、主制御ブロック５１に入力する。
【００３１】
通信インタフェース６３は、相手方機器（通信相手方）との間で、任意の方式の通信が可能な通信ユニット８１と接続する。通信ユニット８１は、例えばＷｉＦｉ（Wireless Fidelity）規格、等に準拠する近距離無線通信機器（相手方機器）との間の無線通信を実現する。なお、近距離無線通信規格としては、例えばブルートゥース（登録商標）規格や、ＮＦＣ（Near Field Communication）等も利用可能である。また、通信ユニット８１は、例えばワイヤレスキーボードやマウス等との間の信号の受け渡しが可能である。通信ユニット８１はまた、例えば非接触通信方式のカード媒体との間の無線通信（Read / Write）が可能なカードリーダ、等であってもよい。なお、通信ユニット８１は、相手方機器と有線方式で通信するものであってもよい。
【００３２】
ネットワーク制御部６４は、例えば外部ネットワーク（インターネット網（ネットワーク１００１）からのさまざまな情報の取得及び送信、インターネット網（ネットワーク１００１）へのアクセス、等を制御する。
【００３３】
ＵＳＢインタフェース６５は、ＵＳＢ規格に準拠する外部装置、例えばＵＳＢ接続のＨＤＤ（Hard Disk Drive、記憶装置）６９やメモリカード、あるいはキーボード、等が接続可能である。
【００３４】
ＨＤＭＩ制御部６６は、ＨＭＤＩ規格またはＭＨＬ規格を利用する機器相互間の有線通信を可能とする。
【００３５】
記憶装置６７は、受信した放送（番組）や、記憶装置６７やＵＳＢ接続のＨＤＤ６９が保持する番組に関連するさまざまな情報を保持する。
【００３６】
主制御ブロック５１（もしくはＣＰＵ５２）は、操作部６１を通じたユーザ操作（制御入力）や受信部６２が受信するリモコン７１、あるいは携帯可能な端末装置からの操作情報（制御入力）に基づいて、上述の各部要素を制御する。
【００３７】
また、主制御ブロック５１は、高精細画像復元部２０１及び信号処理部１２が出力する映像信号や音声信号等を、ユーザの操作（制御入力）に基づいて、記憶装置６７やＨＤＤ６９に記録することが可能である。記憶装置６７やＨＤＤ６９への映像信号や音声信号等の記録に際しては、主制御ブロック５１は、映像信号や音声信号等を暗号化処理し、所定の記録フォーマットに変換する。主制御ブロック５１は、ユーザによるリモコン７１等からの操作（指示入力）に基づいて、記憶装置６７やＨＤＤ６９から所望の映像信号や音声信号等を読み出し、復号し、映像出力処理ブロック２１（表示制御部２５）に供給して、映像表示や音声再生を実行する。
【００３８】
主制御ブロック５１はまた、信号処理部（ＴＳ分離部）１２が分離するＴＳから字幕情報（ニュース番組においてアンカー（アナウンサ）が発声した音声を字幕化した生字幕を含む）やＥＰＧ（電子番組表）情報を、取得できる。字幕情報やＥＰＧを取得するための手続き（手法）は、例えばＮＶＭ５５もしくはＲＯＭ５３が保持するプログラムもしくはアプリケーションあるいはＣＰＵ５２のファームウェアとして用意される。
【００３９】
拡張レイヤ記録管理部５６は、主制御ブロック５１のＣＰＵ５２の制御の下、受信中の記録対象の２Ｋ放送（基本レイヤ）に対応する拡張レイヤの有無を示すメタデータを、ＨＤＤ６９または記憶装置６７への受信した番組の記録時に、作成する。メタデータは、例えば、拡張レイヤが受信している（記録できている）期間を、例えば“拡張レイヤ記録情報”として記録し、管理する。メタデータは、受信中の記録対象の放送について、基本レイヤが受信できている状態で拡張レイヤが受信できない（または受信が不安定となった）状態に陥った時刻ｔ０と（再び）拡張レイヤを受信できた時刻ｔ１、同じくｔ２とｔ３、同じくｔ４とｔＮ−１、を識別可能であれば、記録形式や記録順、等は任意である。
【００４０】
例えば、メタデータは、任意の番組を受信して記録している時間内、すなわち１つの番組の放送時間内において、拡張レイヤの欠落（不安定状態）が生じた時間帯について、２Ｋ放送のみ記録あり（拡張レイヤ記録なし）、として管理する。すなわち、４Ｋ映像を再生可能な拡張レイヤが受信できている時間帯について、拡張レイヤ記録あり、として管理する。なお、拡張レイヤが存在しない時間の管理方法としては、例えば、記録対象番組の放送開始時間を“００分００秒”として拡張レイヤの欠落が発生した時刻と拡張レイヤの欠落が解消した時刻を管理してもよいし、記録装置において用いる時刻情報（ＰＣＲ（Program Clock Reference））を取得して、例えば“２２時２２分２２秒−２３時４５分６０秒”として管理してもよい。
【００４１】
テレビ装置１は、ユーザ指示（リモコン７１あるいは携帯可能な端末装置もしくは操作部６１からの操作入力）があった場合、主制御ブロック５１（拡張レイヤ記録管理部５６）にて“識別子あるいは記述”を抽出できた場合、４Ｋ映像を記録し、再生が指示された場合に、ディスプレイ２６に、４Ｋ映像を表示できる。なお、テレビ装置１における基本的な受信設定は、実質的に２Ｋ（ＨＤ）放送信号に相当する基本レイヤを受信した場合、そのままの状態で２Ｋ（ＨＤ）放送波として利用する設定である。このため、４Ｋ放送を再生可能な拡張レイヤを受信した場合に、４Ｋ放送を再生するための各部の切り替えが必要となる。なお、４Ｋ映像を“識別子あるいは記述”が特定するチャンネルもしくは伝送路により供給される拡張レイヤと、拡張レイヤに対応する基本レイヤとを用いて復号する構成の例は、図３により、後段に説明する。また、リモコン端末７１が４Ｋ放送を再生可能な拡張レイヤを受信した（４Ｋ放送であることを検出した）放送局（チャンネル）が送信する４Ｋ放送のみを記録するために、例えば［４Ｋ］選択キー７１ａが設けられ、同キー７１ａがオン（押下）された場合には、原則として４Ｋ放送が送信されている放送局（チャンネル）の番組を記録するよう、設定することも可能である。
【００４２】
図３は、４Ｋ（ＵＨＤ）映像を、“識別子あるいは記述”が特定するチャンネルもしくは伝送路により供給される拡張レイヤと、拡張レイヤに対応する基本レイヤと、を用いて復号するための構成の一例を示す。なお、基本レイヤ及び拡張レイヤは、基映像（番組）を、４Ｋ放送信号として送信する際に、送信側（放送局／配信局）にて、予め用意される。基本レイヤは、実質的にＨＤ放送信号に相当し、受信した場合、そのままの状態でＨＤ放送波として利用である。拡張レイヤは、基本レイヤと同時に用いることで４Ｋ映像及び音響（音声）を再現可能な付属情報であり、例えば７．１ｃｈサラウンド情報（信号）や６０ｋＨｚ程度の再現音域情報（信号）を含む場合がある。
【００４３】
図３に示すように、テレビ装置１の信号処理部１２は、拡張レイヤを処理し、拡張レイヤに対応する基本映像と拡張レイヤとにより４Ｋ映像を再生する高精細画像復元部２０１を含む。
【００４４】
高精細画像復元部２０１は、入力部１１で選局された放送信号に復号処理を施し、映像信号、音声信号、字幕／文字スーパー情報及び番組関連情報、等を復元する。なお、第１の信号処理部２０３及び第２の信号処理部２０５において、システム時刻基準値ＳＴＣ（System Time Clock）は、共通である。
【００４５】
高精細画像復元部２０１は、第１の信号処理部２０３への基本レイヤ（ＨＤＴＶ信号）が入力する入力端子２６０及び伝送路復号部２６１、第２の信号処理部２０５への拡張レイヤが入力する入力端子２８０及び伝送路復号部２８１を、少なくとも含む。
【００４６】
高精細画像復元部２０１はまた、第１のデコーダ（ＭＰＥＧ−２デコーダ）２７０、アップコンバータ２７４、バッファメモリ２７６、クロック再生制御部２７８及び出力セレクタ（映像出力切り替え部）２９８、等を備える。なお、高精細画像復元部２０１は、主制御ブロック５１のＣＰＵ５２の制御により動作する。すなわち、ＣＰＵ５２は、第１のデコーダ２７０、アップコンバータ２７４、バッファメモリ２７６、クロック再生制御部２７８及び出力セレクタ２９８、等を制御する。
【００４７】
高精細画像復元部２０１において、入力端子２６０に入力する基本レイヤは、伝送路復号部２６１に、入力端子２８０に入力する拡張レイヤは、伝送路復号部２８１に、それぞれ入力する。伝送路復号部２６１及び２８１は、基本レイヤ及び拡張レイヤを、それぞれ復調し、伝送路復号処理によって復号する。伝送路復号部２６１及び２８１は、復号した信号（第１のＴＳ信号及び第２のＴＳ信号）を出力する。
【００４８】
クロック再生制御部２７８は、復号のタイミングを同期するための第２のクロック情報を生成し、第２の多重化分離部２８４から取得した時間情報を出力する。また、クロック再生制御部２７８は、ＳＴＣが共通であるため、ＰＣＲ（Program Clock Reference）に基づいて、第１のデコーダ２７０及び第２のデコーダ（ＳＨＶＣデコーダ）２９２（第２の信号処理部２０５側）の同期を制御する。
【００４９】
アップコンバータ２７４は、基本レイヤとして供給される２Ｋ映像の解像度、画面サイズ及び色帯域をアップコンバートする。すなわち、アップコンバータ２７４は、デコーダ２７０が復号する映像信号（第２の復号映像信号）をアップコンバートし、アップコンバートによって生成された映像信号（第２の拡大復号映像）信号を生成し、生成した第２の拡大復号映像を出力する。例えば、アップコンバータ２７４は、２Ｋ映像信号（ＨＤ映像）の解像度を、４Ｋ映像信号（第２の拡大４Ｋ映像信号）の解像度に変換する。
【００５０】
バッファメモリ２７６は、各種信号や第２の拡大４Ｋ映像信号を、一時的に保持する。
【００５１】
出力セレクタ２９８は、ＳＴＣに基づいて、第１の信号処理部２０３のデコーダ２７０がデコードした２Ｋ映像（ＨＤ映像）または第２の信号処理部２０５のＳＨＶＣデコーダ２７８がデコードした４Ｋ映像（ＵＨＤ映像）の一方を、出力する。なお、出力セレクタ２９８は、音声及び番組表、等を含む情報（データ）を、出力する映像に対応させて出力することもできる。出力セレクタ２９８はまた、選択された映像信号（選択映像信号）を表示制御部２５へ出力する。このとき、選択映像信号を識別するための選択情報も、出力する。
【００５２】
出力セレクタ２９８が出力する選択映像信号は、表示制御部２５において、ＯＳＤ処理部２４からのＯＳＤ出力を重畳し、表示制御部２５がディスプレイ２６または出力端２７に供給する。
【００５３】
第１の信号処理部２０３は、より具体的には、入力端子２６０からの第１のＴＳ信号を第１の表示信号、すなわち２Ｋ映像信号に復号する。第２の信号処理部２０５は、入力端子２８０からの第２のＴＳ信号（４Ｋ映像に対応する拡張レイヤ）を第２の表示信号に復号する。なお、第２の信号処理部２０５は、より具体的には、第１のＴＳ信号（２Ｋ映像信号）と第２のＴＳ信号とから第２の高画質映像信号（４Ｋ映像信号）を復号する。
【００５４】
第１の信号処理部２０３は、より詳細には、第１の多重化分離部２６４、第１のデスクランブラ２６６、第１のＥＣＭ／ＥＭＭ処理部２６８、第１の（基本映像）デコーダ２７０及びＰＳＩ／ＳＩ処理部２７２を、少なくとも含む。
【００５５】
第１の多重化分離部２６４は、入力された基本レイヤを、各種情報や制御信号、及び映像信号に分離する。なお、第１の多重化分離部２６４は、主制御ブロック５１（ＣＰＵ５２）が設定するフィルタ条件を満たす信号のみを取り込むＰＩＤフィルタ２６５を備える。第１の多重化分離部２６４は、ＣＰＵ５２の制御に基づいて、ＰＩＤフィルタ２６５の値を設定する。
【００５６】
第１の多重化分離部２６４は、ＰＩＤフィルタ２６５により、例えばＰＡＴ（Program Association Table、すなわち“ＰＩＤ＝０”のＰＳＩ）を取り出し、ユーザ操作（制御入力）によって指定されるコンテンツのＰＭＴ（Program Map Table）を特定するＰＩＤを取り出す。第１の多重化分離部２６４は、このＰＩＤで指定されたＰＭＴが特定する映像信号を取り出して、取り出された映像信号及び時間情報信号を出力する。
【００５７】
第１のＥＣＭ／ＥＭＭ処理部２６８は、第１の多重化分離部２６４が分離した制御情報のＥＣＭ及びＥＭＭからスクランブル鍵を取り出す。詳細には、第１のＥＣＭ／ＥＭＭ処理部２６８は、暗号化されたＥＭＭを、テレビ装置１に関連して用意されている固有の鍵で復号し、復号したＥＭＭ（Entitlement Management Message）からワーク鍵を取り出す。次に、第１のＥＣＭ／ＥＭＭ処理部２６８は、ワーク鍵を用いてＥＣＭ（Entitlement Control Message）を復号し、復号したＥＣＭからスクランブル鍵を取り出す。
【００５８】
第１のデスクランブラ２６６は、第１の多重化分離部２６４が出力する映像信号の暗号化処理を解除する。すなわち、第１のデスクランブラ２６６は、送信側においてスクランブル鍵で処理された各種信号の暗号化処理を解除する。なお、暗号化処理規則は、一例であるが、ＭＵＬＴＩ２またはそれに準じる処理規則であることが好ましい。
【００５９】
第１のデコーダ２７０は、第１の多重化分離部２６４が分離した（伝送のために）パケット化されている映像信号（２Ｋ放送）を復号（デコード）する。第１のデコーダ２７０は、送信側で用いる符号化形式、例えばＭＰＥＧ（Moving Picture Experts Group）−２を用いて映像信号を復号し、復号した２Ｋ映像信号を出力する。
【００６０】
ＰＳＩ／ＳＩ処理部２７２は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２７２は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２７２は、第１の多重化分離部２６４、第２の多重化分離部２８４及び出力セレクタ２９８と信号の送受信をする。
【００６１】
第２の信号処理部２０５は、より詳細には、第２の多重化分離部２８４、第２のＥＣＭ／ＥＭＭ処理部２８６、第２のデスクランブラ２８８、ＰＳＩ／ＳＩ処理部２９０及び第２のデコーダ（ＳＨＶＣデコーダ）２９２を、少なくとも備える。
【００６２】
第２の多重化分離部２８４は、入力された拡張レイヤを、各種情報や制御信号、及び映像信号に分離する。第２の多重化分離部２８４はまた、拡張レイヤが含む時間情報をクロック再生制御部２７８に出力する。なお、第２の多重化分離部２８４は、制御ブロック５１（ＣＰＵ５２）が設定するフィルタ条件を満たす信号のみを取り込むＰＩＤフィルタ２８５を備える。第２の多重化分離部２８４は、ＣＰＵ５２の制御に基づいて、ＰＩＤフィルタ２８５の値を設定する。
【００６３】
第２の多重化分離部２８４は、ＰＩＤフィルタ２８５により、ＰＳＩからＰＡＴを取り出し、ユーザ操作（制御入力）によって指定されるコンテンツのＰＭＴのＰＩＤを取り出し。第２の多重化分離部２８４は、このＰＩＤで指定されたＰＭＴが特定する映像信号を取り出して、取り出された映像信号及び時間情報信号を出力する。
【００６４】
第２のＥＣＭ／ＥＭＭ処理部２８６は、第２の多重化分離部２８４が分離した制御情報のＥＣＭ及びＥＭＭからスクランブル鍵を取り出す。詳細には、第２のＥＣＭ／ＥＭＭ処理部２８６は、暗号化されたＥＭＭを、テレビ装置１に関連して用意されている固有の鍵で復号し、復号したＥＭＭからワーク鍵を取り出す。次に、第２のＥＣＭ／ＥＭＭ処理部２８６は、ワーク鍵を用いてＥＣＭを復号し、復号したＥＣＭからスクランブル鍵を取り出す。
【００６５】
第２のデスクランブラ２８８は、第２の多重分離部２８４が出力する映像信号の暗号化処理を解除する。すなわち、第２のデスクランブラ２８８は、送信側においてスクランブル鍵で処理された各種信号の暗号化処理を解除する。なお、暗号化処理規則は、一例であるが、ＡＥＳ（Advanced Encryption Standard）またはそれに準じる処理規則であることが好ましい。
【００６６】
ＰＳＩ／ＳＩ処理部２９０は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２９０は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２９０は、第１の多重化分離部２６４、第２の多重化分離部２８４及び出力セレクタ２９８と信号の送受信をする。
【００６７】
ＳＨＶＣデコーダ（第２のデコーダ）２９２は、第２の多重化分離部２８４が分離した（伝送のために）パケット化されている映像信号（拡張レイヤ）を復号（デコード）する。すなわち、ＳＨＶＣデコーダ２９２は、スケーラブル符号化（ＳＨＶＣ（ＭＰＥＧ−ＨＥＶＣ  Ｖｉｄｅｏ）符号化）された映像信号である拡張レイヤを復号する。また、ＳＨＶＣデコーダ２９２は、拡張レイヤを復号した４Ｋ映像の基となる映像信号と第１のデコーダ２７０がデコードし、アップコンバータ２７４がアップコンバージョンした映像信号すなわち第２の拡大復号映像とにより、ＵＨＤ（超高精細度、例えば４Ｋの）映像信号を生成し、セレクタ２９８に出力する。
【００６８】
なお、ＳＨＶＣデコーダ２９２が出力する４Ｋ（ＵＨＤ）映像は、ＳＨＶＣデコーダ２９２の後段に位置するメタデータ処理部２９４及び高画質化処理部２９６が高画質化処理する。例えば、メタデータ処理部２９４は、送信側において、基本レイヤと拡張レイヤとを分離する際に拡張レイヤに付属させた情報であって、基本レイヤを高画質化するための、例えばコントラスト、色帯域あるいは諧調特性、等のグレーディング処理のためのグレーディング情報を生成する（復元する）。また、高画質化処理部２９６は、グレーティング情報に基づいて、ＳＨＶＣデコーダ２９２が出力するＵＨＤ（例えば４Ｋの）映像信号をグレーティングすることによって高画質化することができる。
【００６９】
なお、第１のＰＳＩ／ＳＩ処理部２７２及び第２のＰＳＩ／ＳＩ処理部２９０は、基本レイヤ及び拡張レイヤのそれぞれに対して送信側で用意したＰＳＩ／ＳＩに基づき、第１の多重化分離部２６４、第２の多重化分離部２８４及び出力セレクタ２９８との間の映像信号（基本レイヤ及び拡張レイヤ）を送受信する。すなわち、出力セレクタ２９８は、ディスプレイ２６（または出力端２７）に出力する映像信号を、基本レイヤに基づく２Ｋ（ＨＤ）映像とするか、拡張レイヤに基づく４Ｋ（ＵＨＤ）映像とするかを、第１のＰＳＩ／ＳＩ処理部２７２及び第２のＰＳＩ／ＳＩ処理部２９０が含むＥＳを参照して、選択する。なお、送信側で用意するＰＳＩ／ＳＩが基本レイヤ及び拡張レイヤのそれぞれにおいて共通化されている場合、第１のＰＳＩ／ＳＩ処理部２７２及び第２のＰＳＩ／ＳＩ処理部２９０の何れか一方で受信したＰＳＩ／ＳＩを読み出すことで、例えば４Ｋ映像のデコード開始タイミングを早めることが可能となる。例えば、基本レイヤのＰＳＩ／ＳＩに、拡張レイヤが用意されていること示す“識別子あるいは記述”が含まれている場合、“識別子あるいは記述”を読み出した時点で４Ｋ映像のデコードを開始することで、デコード後の４Ｋ映像が出力されるまでの時間を低減できる。
【００７０】
上記構成によるテレビ装置１において、以下に本実施形態に係る４Ｋ放送あるいは８Ｋ放送の高画質化処理について、実施例をあげて説明する。
【００７１】
（第１の実施例）
図４は基本・拡張レイヤ別伝送方式（以下、拡張伝送方式と称する）による録画コンテンツの高画質化の処理シーケンスの第１の実施例を示すフローチャートであり、図３（ａ）は基本レイヤの取得、図３（ｂ）は拡張レイヤの取得、図４（ｃ）は録画コンテンツの再生のそれぞれについてのフローチャートを示している。
【００７２】
まず、図４（ａ）において、録画対象コンテンツの放送を受信すると（ステップＳ１１）、録画処理を開始し、基本レイヤ及び拡張レイヤを取得して記録媒体に保存して、メタデータの解析等を実行する（ステップＳ１２）。ここで、ネットワーク不良等により拡張レイヤの取得を失敗したかを判断して（ステップＳ１３）取得の失敗を検知した場合には拡張レイヤの再取得予約を登録する（ステップＳ１４）。拡張レイヤが取得できた場合または再取得予約を登録した場合（ステップＳ１４）には、録画対象コンテンツの放送終了時、録画処理を終了させる（ステップＳ１５）。
【００７３】
次に、図４（ｂ）において、ある指定の時間（ユーザ等により事前に設定されている拡張レイヤの取得時刻）になったとき（ステップＳ１６）、拡張レイヤの再取得予約が登録されているか判断し（ステップＳ１７）、再取得予約がある場合には、拡張レイヤ取得処理が開始され、一方、拡張レイヤの取得予約が登録されていなかった場合には、拡張レイヤ取得処理は行われない。
【００７４】
ここで、拡張レイヤ取得処理は、拡張レイヤ配信サーバへネットワークアクセスし（ステップＳ１８）、対象コンテンツの拡張レイヤを取得する（ステップＳ１９）。拡張レイヤを取得する対象コンテンツの特定は、メタデータ（録画番組の放送時間帯やタイトル情報、放送チャネル等）等により照合することが考えられる。拡張レイヤが取得された場合には、既に記録されている対象コンテンツの基本レイヤの中から同一対象コンテンツの基本レイヤを検索する（ステップＳ２０）。検索の結果、見つかった拡張レイヤと基本レイヤとの同期処理を実施し（ステップＳ２１）、拡張レイヤと基本レイヤとを関連づけて記録媒体に保存する（ステップＳ２２）。
【００７５】
次に、図４（ｃ）において、ユーザ等による録画コンテンツ再生操作を受信した場合（ステップＳ３１）、対象とする録画コンテンツについて、拡張レイヤが正常に取得できているか判断し（ステップＳ３２）、正常に取得できている場合には基本レイヤ及び拡張レイヤを記録媒体から読み出して同期再生することにより高画質再生を行う（ステップＳ３３）。また、拡張レイヤを正常に取得できていない場合には、基本レイヤにより通常再生を行う（ステップＳ３４）。
【００７６】
以上の処理において、他に拡張レイヤを取得したい録画コンテンツがあれば、続けて処理を実行することも可能である。
【００７７】
ここで、上記ステップＳ２１における拡張レイヤの取得時間は、事前にユーザが指定する方法や、録画再生装置内で所定のアルゴリズムに応じて自動で決定される方法等が考えられる。例としては、深夜帯等、ユーザのアクセスが集中しない時間帯や視聴や録画を実施していない時間帯等に取得することが有効と考えられる。例えば図５に示すように、高画質化のための拡張レイヤ取得を行う時刻をユーザに設定させる操作画面を表示し、その操作に応じて時刻設定するようにしてもよい。これにより、拡張レイヤ取得開始設定時刻までに録画した全てのコンテンツに対して、拡張レイヤを取得することができる。
【００７８】
また、上記ステップＳ２１の同期化処理については、録画コンテンツの再生時に、再生処理と並行して実施してもよい。
【００７９】
さらに、上記ステップＳ３１の録画コンテンツの再生において、録画コンテンツリストに拡張レイヤを取得済かどうかを表示する等して、拡張伝送方式による高画質化再生が現在可能かどうかをユーザに伝える方法が考えられる。ユーザは複数の録画コンテンツの内、拡張レイヤが必要なコンテンツを一つ以上選択できるようにしておくとよい。また、ここで選択されたコンテンツの拡張レイヤを順次取得するように、予約設定しておくようにしておくとよい。このとき、拡張レイヤの取得が必要最小限に抑えられるため、記録媒体への記録容量を抑えることができる。なお、拡張レイヤ取得コンテンツ選択の方法は、図６に示すように、録画コンテンツリストから拡張高画質完了と表示されたコンテンツを選択する方法等が考えられる。これにより、ユーザは、録画コンテンツの内、既に拡張レイヤが正常取得されているコンテンツを再生選択することができ、必ず拡張伝送方式のよる高画質化を実現することができる。
【００８０】
以上のように、録画コンテンツにおいて、受信時とは別のタイミングで拡張レイヤを取得することにより、ユーザは拡張伝送方式による高画質化再生を高品質で実現できる。
【００８１】
（第２の実施例）
第１の実施例では、複数の高画質化対象コンテンツの録画が実行されている場合にそれぞれの高画質化対象コンテンツの拡張レイヤを別途取得する場合を含めて想定しているが、本実施例では、再生したい対象の録画コンテンツの拡張レイヤがまだ記録されていない場合、録画再生時に同時に拡張レイヤを取得する方法を実現する。
【００８２】
図７は録画コンテンツの高画質化の処理シーケンスの第２の実施例を示すフローチャートであり、第１の実施例の図４（ｃ）に示したフローチャートに対応し、ステップＳ３２の対象録画コンテンツの拡張レイヤの記録済判断において、拡張レイヤが未記録の場合に、拡張レイヤの配信サーバへアクセスし（ステップＳ３５）、対象録画コンテンツの拡張レイヤを取得可能か否かを判断し（ステップＳ３６）、取得可能な場合にはその拡張レイヤを取得してステップＳ３３の高画質再生を実行し、取得できないときはステップＳ３４の基本レイヤによる通常再生を実行するようにしている。
【００８３】
本実施例によれば、複数の録画が実行されているとき等に比べると、拡張レイヤの取得対象が録画再生コンテンツのみに限定されるため、小さい負荷で拡張レイヤを取得することができる。
【００８４】
尚、第１の実施例では、拡張レイヤ取得開始タイミングを時刻で指定する場合を説明したが、時刻ではなく、例えば図８に示すように録画コンテンツ選択時等、ユーザ操作や装置動作等に合わせて設定できるようにしてもよい。
【００８５】
（第３の実施例）
図９は拡張伝送方式による録画コンテンツの高画質化の処理シーケンスの第３の実施例を示すフローチャートである。本実施例は、対象の拡張伝送方式による録画コンテンツの放送受信時に、ユーザがその放送コンテンツを視聴しており、かつ、拡張レイヤが正常に取得できなかった場合に、同録画コンテンツの録画再生動作に移行し、放送時間に対して一定時間古い時間から録画再生することにより、拡張レイヤを正常に取得して同期する時間を確保する手段を提案する。
【００８６】
図８において、ユーザが拡張伝送方式による放送コンテンツを視聴している状態で（ステップＳ４１）、視聴中のコンテンツの拡張レイヤの取得が失敗したことを検知（ネットワーク不良等で判定）すると（ステップＳ４２）、本実施例の装置が視聴コンテンツを録画しているか判断し（ステップＳ４３）、録画していなければ録画開始処理（ステップＳ４４）へ移行する。一方、本実施例の装置が視聴コンテンツを録画していない場合、同視聴コンテンツの録画を開始し、同様に録画再生動作へ移行する（ステップＳ４５）。なお、このとき、ユーザに録画再生を開始する旨を促してもよい。
【００８７】
録画再生を開始したコンテンツ位置以降の時刻では、拡張レイヤが取得できていないため、この位置で一時停止する等して録画再生を待機する（ステップＳ４６，Ｓ４７）。拡張レイヤの取得ができていることを確認できた場合、基本レイヤの再生位置に合わせて拡張レイヤを同期処理する（ステップＳ４８）。次に、録画再生再開処理があると（ステップＳ４９）、基本レイヤおよび拡張レイヤによって高画質な録画再生を開始する（ステップＳ５０）。尚、ステップＳ４２において、図１０に示すように、拡張レイヤの取得が失敗し、通常の画質による録画再生動作へ移行することをユーザに通知する手段をもつことも可能である。
【００８８】
このように、拡張伝送方式において、拡張レイヤの取得に一時的に失敗したとき、基本レイヤを内部で録画記録しておくことにより、後に拡張レイヤの取得が再開されたとき、ユーザは自身の視聴の続きから高画質再生を実施することができる。これは本実施例による新たな効果である。
【００８９】
録画コンテンツの高画質化のための拡張レイヤを別タイミングで取得することにより、拡張情報を欠損することなく取得することが可能である。そして、ユーザが拡張レイヤの取得完了後の録画コンテンツを再生選択することによって、ユーザは高画質での再生が可能である。
【００９０】
尚、第２の実施例と同様に、必要な高画質拡張レイヤのみを別タイミングで取得することにより、記憶媒体の記録容量を抑えることができる。
【００９１】
コンテンツの視聴時に高画質拡張レイヤの取得に失敗した場合、録画再生動作に移行し、基本レイヤを内部で記録する。これにより、拡張レイヤの取得が再開したときに、録画された基本レイヤと同期を合わせて再生を再開することができる。これにより、ユーザは自身の視聴の続きから高画質での再生が可能である。
【００９２】
尚、上記実施例において、拡張レイヤ提供サーバの負荷を軽減するため、基本レイヤの配信タイミングに対して拡張レイヤの提供期間を制限するようにしてもよい。また、拡張レイヤの配信は、有線、無線のいずれでもかまわない。
【００９３】
また、基本レイヤを無料、拡張レイヤを有料で提供するようにしてもよい。あるいは、基本レイヤとは別料金で拡張レイヤを提供するようにしてもよい。また、有料放送の会員登録者のみ拡張レイヤを提供するようにしてもよい。このように、拡張レイヤの提供サービスを受けられる条件がある場合を考慮して、テレビ装置１において、ユーザから拡張レイヤの配信要求があったときにユーザに拡張レイヤの配信が有料であることを表示する表示手段、有料の承諾のもとで拡張レイヤの受信が可能となるように、拡張レイヤの復調時にユーザ認証する認証手段や課金処理を実行する課金処理手段や暗号化された拡張レイヤを解読する解読手段を備えるようにしておくとよい。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９５】
１…テレビ装置（電子機器）、１１…入力部、１２…信号処理部、２３…映像出力処理ブロック、３１…音声処理ブロック、５１…主制御ブロック、５２…ＣＰＵ、５６…拡張レイヤ記録管理部、６７…記憶装置、６９…ＨＤＤ（記憶装置）、７１…リモコン端末（指示機構）、８１…通信ユニット（近距離無線通信部）、２０１…高精細画像復元部、２０３…第１の信号処理部、２０５…第２の信号処理部、２７０…第１のデコーダ（ＭＰＥＧ−２デコーダ）、２７２…ＰＳＩ／ＳＩ処理部、２７４…アップコンバータ、２７６…バッファメモリ、２９０…ＰＳＩ／ＳＩ処理部、２９２…第２のデコーダ（ＳＨＶＣデコーダ）、２９４…メタデータ処理部、２９６…高画質化処理部、２９８…セレクタ。
【図１】
0006402031.tif 000002
【図２】
0006402031.tif 000003
【図３】
0006402031.tif 000004
【図４】
0006402031.tif 000005
【図５】
0006402031.tif 000006
【図６】
0006402031.tif 000007
【図７】
0006402031.tif 000008
【図８】
0006402031.tif 000009
【図９】
0006402031.tif 000010
【図１０】
0006402031.tif 000011